(57)【特許請求の範囲】
【請求項１】
(ｉ)基板上の任意の位置にマスクを形成させる段階と、
(ｊ)前記マスクを含む前記基板上に触媒パターンを形成させる段階と、
(ｋ)前記マスクおよび前記触媒パターンを含む前記基板上にカーボンナノチューブの垂直成長を抑制する層を形成する段階と、
(ｌ)前記マスクを除去して前記基板及び垂直成長を抑制する層に開口部を形成して、前記触媒パターンを露出させる段階、及び
(ｍ)前記露出された触媒パターンの位置でカーボンナノチューブを合成して水平成長させることを特徴とするカーボンナノチューブの水平成長方法。
【請求項２】
前記触媒パターンは直線形、直交形、放射形、円形、四角形のいずれか一形状であり、
前記開口部は、前記直線形に重なるように、直交形または放射形パターンの交差地点を含むように、円形パターンの内部に存在するように、四角形パターンの内部に存在するように形成されることを特徴とする請求項１に記載のカーボンナノチューブの水平成長方法。
【請求項３】
開口部内で前記触媒パターンから形成されるカーボンナノチューブが両側から相互に接合されるように成長されることを特徴とする請求項２に記載のカーボンナノチューブの水平成長方法。
【請求項４】
開口部内で前記触媒パターンから形成されるカーボンナノチューブが相互に交差して成長されることを特徴とする請求項２に記載のカーボンナノチューブの水平成長方法。
【請求項５】
開口部内で前記触媒パターンから形成されるカーボンナノチューブは、向かい合う触媒パターンの露出面間で相互連結されるブリッジ構造を形成することを特徴とする請求項２に記載のカーボンナノチューブの水平成長方法。
【請求項６】
開口部内で前記触媒パターンから形成されるカーボンナノチューブは、向かい合う触媒パターンの露出面間で相互連結されないフリー・ハング構造を形成することを特徴とする請求項２に記載のカーボンナノチューブの水平成長方法。
【請求項７】
前記水平成長されたカーボンナノチューブは、一つの触媒パターンの露出面で複数のカーボンナノチューブが成長されることを特徴とする請求項２に記載のカーボンナノチューブの水平成長方法。
【請求項８】
成長された前記カーボンナノチューブに金属をパターニングして、任意の位置に前記カーボンナノチューブと金属間の接合を選択的に形成させる段階をさらに備えることを特徴とする請求項１に記載のカーボンナノチューブの水平成長方法。
【請求項９】
前記基板面内の任意の第１の方向を上下、この第１の方向に直交した第２の方向を左右としたとき、前記基板上に上下左右の一定な配列で触媒パターンを形成する段階と、
前記一定な配列で溝が形成されたカーボンナノチューブの垂直成長を抑制する別途の基板を製作する段階と、
任意の間隔を置いて前記垂直成長を抑制する基板を前記触媒パターンが形成された基板の上に配置する段階、及び
前記触媒パターン位置でカーボンナノチューブを合成して水平成長させることを特徴とするカーボンナノチューブの水平成長方法。
【請求項１０】
基板上に直径数十ｎｍの点からなるナノ点または長さ数十ｎｍの線からなるナノ線の形状で触媒を形成させて、前記ナノ点またはナノ線からカーボンナノチューブの垂直方向の成長が抑制されるように前記ナノ点またはナノ線上に成長抑制層をパターニングして、前記ナノ点またはナノ線からカーボンナノチューブを水平成長させることを特徴とするカーボンナノチューブの水平成長方法。
【請求項１１】
基板上に長さ数十ｎｍの線からなるナノ線の形状で触媒を形成させる段階と、
前記ナノ線状の触媒上に、ＰＲ工程およびリソグラフィー工程のうちいずれかの半導体工程を通して、任意の間隔でカーボンナノチューブの垂直方向の成長を抑制する成長抑制層を形成する段階と、
湿式エッチングによって、前記成長抑制層が形成されない領域の前記ナノ線状の触媒を除去する段階、及び
化学的気相蒸着法を利用して、前記任意の間隔をあけて前記成長抑制層下に形成されている前記触媒間にカーボンナノチューブを水平成長させることを特徴とするカーボンナノチューブの水平成長方法。
【請求項１２】
前記ナノ点またはナノ線状の触媒はインプリント方法でパターニングされることを特徴とする請求項１０または１１のいずれか一に記載のカーボンナノチューブの水平成長方法。
【請求項１３】
前記ナノ点またはナノ線状の触媒はセルフアセンブリ方法でパターニングされることを特徴とする請求項１０または１１のいずれか一に記載のカーボンナノチューブの水平成長方法。
【請求項１４】
前記成長抑制層はシリコン酸化膜(ＳｉＯ2)またはシリコン窒化膜(ＳｉＮ）の絶縁体で形成されることを特徴とする請求項１０または１１のいずれか一に記載のカーボンナノチューブの水平成長方法。
【請求項１５】
前記成長抑制層はモリブデン(Ｍｏ)、ニオブ(Ｎｂ)、パラジウム(Ｐｄ)の金属で形成されることを特徴とする請求項１０または１１のいずれか一に記載のカーボンナノチューブの水平成長方法。
【請求項１６】
ソースとドレーン間に半導体的特性を有するカーボンナノチューブを水平成長させることにより形成したカーボンナノチューブブリッジと、
このカーボンナノチューブブリッジに対して垂直方向に複数形成されたゲート用カーボンナノチューブブリッジと
を備え、
これらのゲート用カーボンナノチューブブリッジに印加する電圧を制御することで前記カーボンナノチューブブリッジにエネルギー障壁を形成し、前記カーボンナノチューブブリッジに量子点として機能する領域を形成して電流の流れを制御する
ことを特徴とするカーボンナノチューブを利用した電界効果トランジスタ。
【請求項１７】
前記複数のゲート用カーボンナノチューブブリッジがゲートを形成するにあたって、前記ゲート用カーボンナノチューブブリッジの一端は、共通する端子に接続されることを特徴とする請求項１６に記載のカーボンナノチューブを利用した電界効果トランジスタ。
【請求項１８】
前記ソース及びドレーン上に、前記ソース及びドレーンに接触する触媒を任意の方向に磁化させることができるように、電流を通過させることができる導線が形成されたことを特徴とする請求項１６に記載のカーボンナノチューブを利用した電界効果トランジスタ。
【請求項１９】
前記ソース直上に形成される導線と、前記ドレーン直上に形成される導線が相互平行するように構成されることを特徴とする請求項１６に記載のカーボンナノチューブを利用した電界効果トランジスタ。
【発明の詳細な説明】
【０００１】
【発明の属する技術分野】
本発明はカーボンナノチューブの成長方法に関するものであり、さらに詳細にはカーボンナノチューブの水平成長方法に関するものであり、特に触媒が形成された基板の所望する特定位置でカーボンナノチューブを選択的に水平に成長させることによって、ナノデバイス製造に有効に利用できるカーボンナノチューブの水平成長方法に関するものである。
【０００２】
また、本発明は所望する特定位置に触媒をナノ点またはナノ線として形成させることによって、特定位置でカーボンナノチューブを選択的に成長させてナノデバイス製造に有効に利用できるカーボンナノチューブの水平成長方法に関するものである。
【０００３】
また、本発明はカーボンナノチューブブリッジを水平成長させて電界効果トランジスタ(ＦＥＴ)を実現させて、カーボンナノチューブが形成されたソースとドレーン電極の接触触媒を所望する方向に磁化させることによって、スピンバルブ(spin valve)と単電子トランジスタ(ＳＥＴ：Single Electron Transistor)を同時に実現できるカーボンナノチューブを利用した電界効果トランジスタに関するものである。
【０００４】
【従来の技術】
カーボンナノチューブは一次元量子線(one-dimensional Quantum Wire)構造を有し、機械的、化学的特性が優秀で、一次元での量子輸送(quantum transport）現像を見せるなど非常に興味深い電気的特性を持っていることが知られている。また、これらの特性の外にも新しく発見されている特殊な性質があって新しい素材として多くの注目を受けている。
【０００５】
一方、素材の優秀な特性を利用するためには再現性を有するカーボンナノチューブの製造工程が先行されなければならない。しかし、現在ではカーボンナノチューブを製造した後、一つずついちいち操作して所望の位置に移して置く方式を取っている。このように、成長したカーボンナノ素子を‘個別操作方式’で所望する位置に移して置く方式では電子素子や高集積素子に適用するのが難しい。そのため、カーボンナノチューブを電子素子や高集積素子に適用するために、さらに多くの研究開発が進行している状況である。
【０００６】
また、現在知られているカーボンナノチューブ合成技術である‘垂直成長方法’は、図１に示したように、触媒のパターン４が形成されている基板２の上に垂直の方向によく整列された形状のカーボンナノチューブ６を成長させている。このような垂直成長方法に対しては既にかなり多く報告されている。
【０００７】
しかし、今後カーボンナノチューブが新しい機能を有するナノデバイスとして利用されるためには、従来の垂直成長技術よりも特定の位置で選択的に水平方向に成長させることができる技術がはるかに有用である。
【０００８】
一方、パターン化された金属間にカーボンナノチューブを水平成長させて連結することができるという報告が、Ｈｏｎｇ  Ｊｉｅ  Ｄｉｅによって最初に行われた(Ｎａｔｕｒｅ  Ｖｏｌ．３９５、ｐ８７８)。それを図２に示す。図２はＨｏｎｇ  Ｊｉｅ  Ｄｉｅにより報告されたカーボンナノチューブの水平成長方法を概略的に示した図である。この報告によれば、図２に示したように、無数に多くのカーボンナノチューブが水平方向のみならず、垂直方向にも成長している。その理由はカーボンナノチューブは触媒になる金属の表面から成長するため、露出された触媒のあらゆる表面から無作為に成長するためである。
【０００９】
一方、１９８８年磁性金属と非磁性金属からなる多層膜で巨大磁気抵抗(ＧＭＲ：Giant Mageneto Resistance)効果が発見されて以来、磁性金属薄膜の研究は世界的に非常に活発に進んでいる。ところで、磁性金属では電子が偏向したスピン(spin-polarized)状態で存在するのでこれを活用すれば分極スピン電流（polarized spin current）を発生させることができる。したがって、今までは十分に利用できなかった磁性を発現する電子が持つ重要な固有特性であるスピン自由度を利用したスピン電子工学（spin electronics）または磁気電子工学（magneto electronics）の理解と発展に多くの努力が傾注されている。
【００１０】
最近、ナノ構造の磁性多層薄膜系で発見された巨大磁気抵抗、トンネリング磁気抵抗(ＴＭＲ：Tunneling Magneto Resistance)現像等は既にＭＲ磁気ヘッド素子で応用製作されてコンピュータのＨＤＤに装着されて商用化されている最中である。
【００１１】
ここでＴＭＲとは、強磁性／絶縁体(半導体)／強磁性構造の接合で強磁性体の相対的な磁化方向によってトンネリング電流が変わる現像をいう。他の磁気抵抗より磁気抵抗比が大きくてフィールド感応度(field sensitivity）が大きくて次世代磁気抵抗ヘッドや磁気メモリ(ＭＲＡＭ：Magnetic Random Access Memory）用材料で活発に研究されている。この時、再現性ある絶縁層の形成と接合抵抗の減少が重要な問題になる。
【００１２】
また、最近では低い磁場で磁気抵抗現像を見せるスピンバルブ、磁気トンネリング接合(ＭＴＪ：Magnetic Tunneling Junction）などを利用したＭＲＡＭ製作に磁性応用分野の多くの学者が活発な研究を進めている。
【００１３】
【発明が解決しようとする課題】
本発明は前記のような状況を勘案して創出されたものであり、触媒が形成された基板の所望する特定位置でカーボンナノチューブを選択的に水平成長させることによって、ナノデバイス製造に有効に利用できるカーボンナノチューブの水平成長方法を提供することが目的である。
【００１４】
また、本発明は前記のような状況を勘案して創出されたものであり、所望する特定位置に触媒をナノ点またはナノ線として形成させることによって、特定位置でカーボンナノチューブを選択的に成長させてナノデバイス製造に有効に利用できるカーボンナノチューブの水平成長方法を提供しようとするものである。
【００１５】
また、本発明は前記のような状況を勘案して創出されたものであり、カーボンナノチューブブリッジを水平成長させて電界効果トランジスタを実現して、カーボンナノチューブが形成されたソースとドレーン電極の接触触媒を所望する方向に磁化させることによって、スピンバルブと単電子トランジスタを同時に実現できるカーボンナノチューブを利用した電界効果トランジスタを提供することにまた他の目的がある。
【００１６】
【課題を解決するための手段】
前記の目的を達成するために本発明によるカーボンナノチューブの水平成長方法は、(ａ)基板上に所定の触媒パターンを形成させる段階と、(ｂ)その基板上にカーボンナノチューブの垂直成長を抑制する層を形成する段階と、(ｃ)基板と垂直成長を抑制する層に開口部を形成して、触媒パターンを露出させる段階、及び、(ｄ)露出された触媒パターンの位置でカーボンナノチューブを合成して水平方向に成長させる段階を含むことを特徴とする。
【００１７】
段階(ｃ)で形成した開口部は基板と垂直成長抑制層を完全に貫通させた穴形でもよいが、基板の一部を残してエッチングさせたカップ形でもよい。
【００１８】
また、本発明によるカーボンナノチューブの水平成長方法の他の実施態様は、（ｉ）基板上の所定位置にマスクを形成させる段階と、（ｊ）マスクが形成された基板上に触媒パターンを形成させる段階と、（ｋ）基板上にカーボンナノチューブの垂直成長を抑制する層を形成する段階と、（ｌ）前記マスクを除去して前記基板及び垂直成長を抑制する層に開口部を形成して、前記触媒パターンを露出させる段階、及び、（ｍ）前記露出された触媒パターン位置でカーボンナノチューブを合成して水平成長させる点にその特徴がある。
【００１９】
また、前記の目的を達成するために本発明によるカーボンナノチューブの水平成長方法の他の実施態様は、基板上に上下左右の一定な配列で触媒パターンを形成する段階と、一定な配列で溝が形成されたカーボンナノチューブの垂直成長を抑制する別の基板を製作する段階と、所定の間隔を置いて前記垂直成長を抑制する基板を前記触媒パターンが形成された基板上に配置する段階、及び、前記触媒パターン位置でカーボンナノチューブを合成して水平成長させる点にその特徴がある。
【００２０】
また、前記の他の目的を達成するために本発明によるカーボンナノチューブの水平成長方法は、基板上にナノ点またはナノ線の形状で触媒を形成させて、前記ナノ点またはナノ線の垂直方向成長が抑制されるように前記ナノ点またはナノ線上に成長抑制層をパターニングして、前記ナノ点またはナノ線に選択的にカーボンナノチューブを水平成長させる点にその特徴がある。
【００２１】
前記ナノ点またはナノ線状の触媒はインプリント方法またはセルフアセンブリ方法でパターニングするのが望ましい。
【００２２】
また、前記成長抑制層はシリコン酸化膜（ＳｉＯ2)またはシリコン窒化膜（ＳｉＮ）の絶縁体で形成されることができ、モリブデン（Ｍｏ）、ニオブ（Ｎｂ）、パラジウム（Ｐｄ）などの金属で形成させてもよい。
【００２３】
本発明によるカーボンナノチューブの水平成長方法の他の実施態様は、基板上にナノ線の形状で触媒を形成させる段階と、前記ナノ線状の触媒上に、リソグラフィーなどの半導体工程を通して、所定間隔をあけて成長抑制層を形成する段階と、湿式エッチングによって前記成長抑制層が形成されない領域の前記ナノ線状の触媒を除去する段階、及び、化学的気相蒸着法を利用して、所定間隔を設けた前記成長抑制層の下に形成されている前記触媒間にカーボンナノチューブを水平成長させる段階を含むことを特徴とする。
【００２４】
本発明によるカーボンナノチューブを利用した電界効果トランジスタは、ソースとドレーン間にカーボンナノチューブを水平成長させてカーボンナノチューブブリッジを形成させることによって、電子単位の電流流れを制御できる単電子トランジスタを構成したことが特徴である。
【００２５】
ここで、前記ソースとドレーン間に形成された前記カーボンナノチューブブリッジは半導体的特性を有するカーボンナノチューブである。
【００２６】
また、前記ソースとドレーン間に形成された前記カーボンナノチューブブリッジ上に、エネルギー障壁を作って量子点を形成して電流の流れを制御できるように、前記カーボンナノチューブブリッジに対する垂直方向にゲート用カーボンナノチューブブリッジを複数で形成した。
【００２７】
また、前記複数のゲート用カーボンナノチューブブリッジでゲートを形成する際に、共通端子を用いて量子点の大きさを調整するようにすることが望ましい。
【００２８】
また、前記ソース及びドレーン上に、前記ソース及びドレーンの接触触媒を所望する方向に磁化させることができるように、電流を通過させることができる導線を形成し、そのソース上に形成される導線と、ドレーン上に形成される導線が相互平行する。
【００２９】
【発明の実施の形態】
以下、添付した図面を参照しながら本発明をより詳細に説明する。
図３は本発明によるカーボンナノチューブの水平成長方法の一例を概略的に示した図であり、図４は図３に示したカーボンナノチューブの水平成長方法を施した構造物の透視図である。
【００３０】
図３及び図４を参照して本発明の実施形態によるカーボンナノチューブの水平成長方法を説明すると、（ａ）基板１０上に所定の触媒パターン１２を適宜の形状、図の実施形態では互いに平行に配置されるように形成させる段階と、（ｂ）その触媒パターンを形成させた基板１０上にカーボンナノチューブの垂直成長を抑制する層１４を形成する段階と、（ｃ）基板１０と垂直成長を抑制する層１４に開口部１６を連続的な触媒パターンを部分的に遮断するように形成してその触媒パターン１２の遮断部を露出させる段階、及び（ｄ）開口部１６から露出している触媒パターン位置１８でカーボンナノチューブを合成して水平成長させる段階を含む。
【００３１】
基板１０とカーボンナノチューブの垂直成長を抑制する層１４としては目的によってシリコン、ガラス、シリコンオキサイド、ＩＴＯ（Indium Tin Oxide）コーティングされたガラスなどが多様に用いられることができる。同じものを使用することもできる。もちろん、別々のものを使用しても良い。
【００３２】
触媒としては金属やこれを含有した合金、超伝導金属、特異金属等カーボンナノチューブを成長させることができる物質ならどのようなものでも良い。これらはリソグラフィー、スパッタリング、蒸着などの工程を通して所定のパターン１２に形成させることができる。パターンは任意である。図示のように連続させたものを多数設けることが望ましい。
【００３３】
この連続させた触媒パターンの特定の位置にその連続したパターンを遮断するように開口部１６を設けるが、その開口１６ははレーザードリル加工、湿式エッチング、乾式エッチングなどの方法によって形成することができる。連続した触媒パターンを貫通するように開口部１６を設けるので、その開口部１６には触媒パターンの切り口１８が露出される。この開口部１６は、図５Ａに示したように、基板１０とカーボンナノチューブの垂直成長を抑制する層１４を貫通させた穴としてもよく、また、図５Ｂに示したように、完全に貫通させずに基板１０の一部を残すようにエッチングして形成させたカップ形としてもよい。要するに触媒パターン１２を途中で遮断さえすればその開口の形にこだわる必要はない。
【００３４】
このように形成させた構造物をカーボンナノチューブ合成装置に入れて合成させると、ソースガスに露出されることになる触媒パターンの切り口である触媒面１８からのみカーボンナノチューブが成長する。したがって、基板１０に水平な方向にカーボンナノチューブが成長する。
【００３５】
この時、カーボンナノチューブの合成は熱分解法、触媒熱分解法、プラズマ気相蒸着法、ホット−フィラメント気相蒸着法などが利用できる。そしてメタン、アセチレン、一酸化炭素、ベンゼン、エチレンなどの炭化水素化合物を原料として用いることができる。
【００３６】
図６ないし図１１は本実施形態によるカーボンナノチューブの水平成長方法によって水平成長されたカーボンナノチューブの多様な形状を示した図である。
【００３７】
図６Ａ、図６Ｂは直線状に形成させた触媒パターン１２で水平成長されたカーボンナノチューブ２０を示したものである。開口部は直線状のパターンを遮断するように形成する。この時、合成時間を適切に調節することで、カーボンナノチューブ２０を遮断されて向かい合っている触媒パターンの露出面１８を相互に連結したブリッジ構造とすることができ、または連結されないフリー・ハング構造とすることができる。
【００３８】
成長されたカーボンナノチューブ２０の直径は露出触媒面の粒子の大きさや面積を制御することによって調整することができる。また、パターン形成条件を変更したり後続処理(例えば、プラズマ処理、酸処理等)を通して露出した触媒面を多様な表面状態とすることもできるので、その処理によって直径を変えることもできる。したがってこのような操作を通して、一つの露出面から２以上のカーボンナノチューブ２０を成長させることができて、図６Ｂのように向かい合う触媒パターンの露出面１８それぞれから異なる構造（直径、キラリティー（chirality）などの変化)を有するカーボンナノチューブ２０を成長されることもできる。
【００３９】
図７Ａないし図７Ｄは直線状の触媒パターンを直交させ、その交差させた箇所に開口部を形成させた例であり、それぞれの開口部の露出された露出面からカーボンナノチューブを様々に水平成長させた例を示している。
【００４０】
図６の例と同様に同様に、図７Ａのようなブリッジ構造または図７Ｃのようなフリー・ハング構造のカーボンナノチューブ２０を得ることができる。また、向かい合う触媒パターンの露出面で相互に直径が異なるカーボンナノチューブ２０を成長させることができ、図７Ｂのように一つの露出面で２以上のカーボンナノチューブ２０を成長させることもできる。そして、一つの触媒露出面で複数のカーボンナノチューブを成長させることによって、図７Ｄのようなメッシュ形状を有するカーボンナノチューブを成長させることもできる。
【００４１】
また、図７Ａに示した例では、垂直方向と水平方向の触媒パターンの高さを変えることもできる。その場合、相互に接触せずに交差して成長されるカーボンナノチューブ２０を作ることができる。これを利用すればゲート素子として利用することもできる。また、交差して成長したカーボンナノチューブ２０を機械的に接触させて電気的な接合が形成されるようにすることもできる。これを利用すれば接合解析にすぐ利用することができ、この接合特性を素子に利用することもできる。
【００４２】
この時、接合形成を円滑にするための一つの方法として材料の熱膨脹／収縮を利用することもできる。普通カーボンナノチューブの合成条件は５００〜９５０℃の温度で行われるので、合成後の冷却段階であらわれる熱収縮現像を利用して交差成長されたカーボンナノチューブ２０の接触を円滑にすることができる。
【００４３】
一方図８、図９、図１０及び図１１は各々放射形触媒パターン、円形触媒パターン、四角形触媒パターン、２以上の直線配列触媒パターン上に２以上の溝を形成した構造で水平成長されたカーボンナノチューブを示したことであり、開口部は各々パターンの交差地点、円形内部、四角形内部に形成される。
【００４４】
図６ないし図１１は各々本発明によって水平成長されたカーボンナノチューブの多様な形態を示したものである。本発明がこれらに限定されず、触媒パターンはナノデバイス応用により効率的な方向に任意に形成させることができる。
【００４５】
一方、図１２は本実施形態によるカーボンナノチューブの水平成長方法によって水平成長したカーボンナノチューブ２０に金属３０をそのチューブと直交する方向にパターニングさせて、両者を後者箇所で接合させた状態を示したものである。これにより、カーボンナノチューブ２０と金属３０間の接合を容易に得ることができ、特定位置でこのような接合を選択的に形成させることができるという長所がある。
【００４６】
また、このような方法を利用すればカーボンナノチューブ／カーボンナノチューブ接合、カーボンナノチューブ／金属接合及びカーボンナノチューブ／半導体接合を必要な位置に選択的に形成することができる。
【００４７】
図１３は本発明によるカーボンナノチューブの水平成長方法の他の例を概略的に示した図である。
【００４８】
図１３を参照して本発明によるカーボンナノチューブの水平成長方法の他の実施形態を以下説明する。(ｉ)基板１０の所定位置にマスク４０を短い柱状が基板から突出するように形成させる段階と、(ｊ)マスク４０が形成された基板１０上に触媒パターン１２をマスク４０を通るように形成させる段階と、(ｋ)基板１０上にカーボンナノチューブの垂直成長を抑制する層１４を形成する段階と、(ｌ)マスク４０をそれに接触している触媒とともに除去して基板１０と垂直成長を抑制する層１４に開口部４２を形成して、その開口部に触媒パターン１２を露出させる段階、及び(ｍ)露出された触媒パターンの位置でカーボンナノチューブを合成して水平成長させる段階を含む。
【００４９】
基板１０と触媒パターン１２の材料、触媒パターン形成方法、カーボンナノチューブ合成方法は先の実施形態で説明された方法と同一である。そして、マスク４０はエッチングや加熱等により容易に除去可能とするために、蒸着などの方法をによって基板上に形成させる。また、触媒パターン形態は一直線形、直交形、放射形、円形、四角形等として形成させることができ、図６ないし図１１のような水平方向に成長されたカーボンナノチューブを得ることができる。
【００５０】
また、図１４は本発明によるカーボンナノチューブの水平成長方法のさらに他の実施形態を概略的に示した図である。
【００５１】
図１４を参照して本実施形態によるカーボンナノチューブの水平成長方法を説明する。基板１０に上下左右の一定の配列、すなわちマトリックス状に触媒パターン１２を形成する段階、一定な配列、好ましくは触媒パターンと同じパターンで溝５２が形成されたカーボンナノチューブの垂直成長を抑制するための基板５０を製作する段階、所定の間隔５４を保って垂直成長を抑制する基板５０を触媒パターン１２が形成された基板１０の上に配置する段階、及び触媒パターン位置でカーボンナノチューブを合成して水平成長させる段階を含む。
【００５２】
ここで、基板１０及び触媒パターン１２の種類、触媒パターン１２形成方法、カーボンナノチューブ合成方法は最初の実施形態で説明したものと同一である。そして、カーボンナノチューブの垂直成長を抑制する基板５０の溝５２はレーザードリル加工、湿式エッチング、乾式エッチングなどの方法を利用して形成することができる。
【００５３】
垂直成長を抑制するための基板５０で下部基板１０を覆う段階で、両基板１０、５０間の所定間隔５４はカーボンナノチューブが成長できる間隔であれば十分で、両基板１０、５０の端部分に支持台５６を作って間隔を維持させる。
【００５４】
一方、図１５は本発明によるカーボンナノチューブの水平成長方法によって、ナノ点またはナノ線状の触媒を利用して所望する位置でカーボンナノチューブを水平成長させる過程を概略的に示した図である。
【００５５】
図１５Ａに示すように、酸化膜を形成させたシリコン基板上にナノ点またはナノ線の形状でパターン化された触媒金属を蒸着する。この時、触媒金属としてはニッケル(Ｎｉ)、コバルト(Ｃｏ)、鉄(Ｆｅ)などを用いる。
【００５６】
図１５Ｂに示したように、ナノ点またはナノ線上にシリコン酸化膜（ＳｉＯ2)やシリコン窒化膜（ＳｉＮ）の絶縁体またはモリブデン（Ｍｏ）、ニオブ（Ｎｂ）、パラジウム（Ｐｄ）等で成長抑制層を蒸着させる。これはカーボンナノチューブが垂直方向に成長するのを抑制させるためである。その成長抑制層を金属で形成させることもできるが、このように金属を使用した場合にはそれを電極としても使用することができる。この時、成長抑制層は一般的な半導体工程（ＰＲ工程、リソグラフィー工程）によって所望する形状にパターニングできる。
【００５７】
これにより、図１５Ｃに示したように、成長抑制層がパターン化されて形成された基板上に化学的気相蒸着法によってカーボンナノチューブを触媒から水平方向に成長させることができる。
【００５８】
図１６及び図１７は触媒金属がナノ線で形成された場合において、水平方向に選択的なカーボンナノチューブを成長させる方法を示した図で、湿式エッチングを通して触媒形成位置を調節することができる様子を示したものである。
【００５９】
まず、図１６Ａ及び図１７Ａに示したように、酸化膜を形成したシリコン基板上にナノ線状にパターン化された触媒金属を蒸着させる。この時、触媒金属としてはニッケル（Ｎｉ）、コバルト（Ｃｏ）、鉄（Ｆｅ）などを用いる。
【００６０】
そして、図１６Ｂ及び図１７Ｂに示したように、それぞれのナノ線状の触媒の両側に所定間隔をあけて酸化膜（ＳｉＯ2)やシリコン窒化膜（ＳｉＮ）の絶縁体またはモリブデン（Ｍｏ）、ニオブ（Ｎｂ）、パラジウム（Ｐｄ）等で成長抑制層を蒸着させる。これは触媒でカーボンナノチューブが垂直方向に成長することを抑制する役割をし、成長抑制層を金属とした場合には電極としての役割を同時に果たさせるためである。
【００６１】
これは一般的な半導体工程（ＰＲ工程、リソグラフィー工程）を通して所望する形状にパターニングできる。ここで、図１７Ｂはパターンを形成する過程で誤差が生じた場合を示したことであり、成長抑制層をパターニングする過程で所望しない領域に触媒が露出されている場合である。
【００６２】
そして、図１６Ｃ及び図１７Ｃに示したように、湿式エッチングを通して、成長抑制層が形成されない領域のナノ線状の触媒を除去する。この時、湿式エッチングを用いる場合には、等方性エッチングが行われるために触媒金属は成長抑制層内側にさらに入り込む（図１６Ｃ参照）ため、カーボンナノチューブを垂直に成長できないようにする成長防止膜の役割がさらに増大される。
【００６３】
また、ナノ線状に触媒が形成された場合には、ナノ点とは異なり過多エッチングが生じても、カーボンナノチューブが成長できる触媒金属が基板に残っているので、さらに効果的な成長抑制層を形成することが必要である。そして、図１７Ｂ及び図１７Ｃに示したように、リソグラフィー工程で成長抑制層のパターンが誤って形成された場合にも、湿式エッチングを利用すればリソグラフィー工程で生じた誤差を解消できる。
【００６４】
これにより、化学的気相蒸着法を利用して、所定間隔が用意された成長抑制層下に形成されている触媒間にカーボンナノチューブを水平成長させることができるようになる。
【００６５】
図１５ないし図１７において、基板上に触媒をナノ点またはナノ線状のパターンを形成させたが、その方法としては次のような方法を利用できる。
【００６６】
一つは図１８に示したようなナノインプリント(nano imprint)方法を利用することである。図１８は本発明によるカーボンナノチューブの水平成長方法において、ナノ点またはナノ線を形成するためのインプリント工程を概略的に示した図である。
【００６７】
ナノインプリント方法は、図１８に示したように、ナノパターンが彫られてあるスタンプを高分子薄膜上に押してナノミリメータ大きさの高分子パターンを作るものであって、大面積ウェーハに適用することができる刻印工程法である。これは、既存の光微細加工技術による大面積ナノパターン形成工程に比べて大幅に簡素化された工程で数十ｎｍ程度のパターンを簡単に製作することができる。
【００６８】
また、図１９に示したような、セルフアセンブリ方法を利用してナノ点またはナノ線の触媒パターンを形成させることもできる。図１９は本発明によるカーボンナノチューブの水平成長方法におけるナノ点またはナノ線を形成するためのセルフアセンブリ方法を概略的に示した図である。
【００６９】
このようなセルフアセンブリ方法は基板(ＳｉまたはＡｕのような金属)の表面に化学吸着される特定の物質(表面活性ヘッドグループ(surface-active head group）；大部分が有機分子で単分子層に吸着)をコーティングし、その上に上塗りをしようとする物質と連結させるアルキル系の物質をコーティングする。そして、膜の特性を有する物質(surface group）を上塗りをする方法で単層から多層まで超微細な薄膜を製造できる。
【００７０】
すなわち、化学吸着できる特定の物質を基板に敷いて、蒸着しようとする薄膜の物質との間の橋の役割をする物質を敷いて、その次に所望する薄膜物質を蒸着するという順序で構成される。表面に化学吸着をする特定物質を蒸着した後、これをＳＴＭ(Scanning Tunneling Microscopy／ＡＦＭ(Atomic Force Microscope)でパターニングすると所望のパターンで超微細薄膜を製造できる。すなわち、ナノ点、ナノ線を得ることができる。
【００７１】
次に、図２０は本発明によるカーボンナノチューブを利用したスピンバルブ単電子トランジスタの構造を概略的に示した図であり、図２１は図２０に示した本発明によるスピンバルブ単電子トランジスタの斜視図である。上に詳述したカーボンナノチューブの水平成長方法によって基板の水平方向に成長されたカーボンナノチューブを利用すれば次のようなスピンバルブ単電子トランジスタを実現できる。
【００７２】
図２０及び図２１を参照すると、本発明によるスピンバルブ単電子トランジスタはソース２１０とドレーン２２０間にカーボンナノチューブを水平方向に成長させてカーボンナノチューブブリッジ２６０を形成させることによって、電子単位で電流を制御できる。この時、ソース２１０とドレーン２２０間に形成されたカーボンナノチューブブリッジ２６０は半導体的特性を有するカーボンナノチューブで構成される。
【００７３】
また、ソース２１０とドレーン２２の間に形成されたカーボンナノチューブブリッジ２６０は、エネルギー障壁を作って量子点を形成して、電流の流れを制御できるように形成された複数のゲート用カーボンナノチューブ２７０、２８０上に形成される。
【００７４】
またソース２１０及びドレーン２２０上に、ソース２１０及びドレーン２２０の接触触媒を所望する方向に磁化させることができるように、電流を通過させることができる導線２５０（２５１、２５２）が形成される。このソース２１０上に形成される導線２５１と、ドレーン２２０上に形成される導線２５２は相互に平行するように構成される。
【００７５】
図２２は本発明によるカーボンナノチューブを利用したスピンバルブ単電子トランジスタの他の実施形態を概略的に示した図である。
【００７６】
図２２を参照すると、複数のゲート用カーボンナノチューブブリッジ４７０、４８０がゲート４３０、４４０を形成させる際に、共通端子４９０を用いて量子点の大きさを調整する。その他の構成要素は図２０及び図２１で説明されたものと同一である。
【００７７】
以下、このような構成を有する本発明によるカーボンナノチューブを利用したスピンバルブ単電子トランジスタの作動を説明する。
【００７８】
図２０及び図２１を参照する。ソース２１０とドレーン２２０間に形成された半導体性炭素ナノチューブブリッジ２６０の上を通っている、第１ゲート２３０と第２ゲート２４０に定義されたカーボンナノチューブブリッジ２７０、２８０に陽の電圧を印加する。これによりＣ１、Ｃ２点で電荷が不足するようになる。これはＣ１、Ｃ２点でエネルギー障壁を作る効果となる。この時、ソース２１０とドレーン２２０間にあるカーボンナノチューブブリッジ２６０の場合、Ｃ１とＣ２間は周辺と孤立されるために量子点を形成するようになる。
【００７９】
また、ソース２１０とドレーン２２０電極は転移金属触媒を通してカーボンナノチューブブリッジ２６０に接しているために適当な保磁力を考慮してＩｍ１、Ｉｍ２の電流を流して、ソース２１０とドレーン２２０接触触媒を所望する方向に磁化させる。
【００８０】
このような方法でソース２１０に注入される電子のスピンを調節することができる。この時、ソース２１０とＣ１間、Ｃ２とドレーン２２０電極間のカーボンナノチューブブリッジ２６０が弾動導体（Ballistic Conductor)になるならば注入される電子のスピンが保存される。
【００８１】
したがってＣ１、Ｃ２間に形成された量子点に電子がトンネリングして出入する時、ソース２１０とドレーン２２０の磁化方向によって、スピン方向が同じ場合にはトンネリングがよく起き、スピン方向が反対の場合にはトンネリングが起きない。
【００８２】
このように、チャネル用カーボンナノチューブブリッジ２６０を通して流れる電流を調節してスピンが関係する単電子トランジスタを実現できる。
【００８３】
一方、図２３ないし図２６は本発明によるカーボンナノチューブの水平成長方法によって形成された電界効果トランジスタの例を概略的に示した図である。図２３ないし図２６を参照して電界効果トランジスタの多様な構成に対して説明する。
【００８４】
図２３はゲートをカーボンナノチューブに直交する方向にチューブの両側に形成させた例を示したものである。ニオブ(Ｎｂ)やモリブデン(Ｍｏ)などの金属を電極及び成長防止膜用電極層として用いることができる。そして、ソースとドレーンの電極層の下には触媒として用いられる触媒層がある。この時、触媒としては普通ニッケル(Ｎｉ)などが用いられ、その他に鉄(Ｆｅ)やコバルト(Ｃｏ)またはこれらの合金などを用いることができる。
【００８５】
上記のようにゲート電極はソースとドレーン間の両側に設けられている。そして、ゲート電極の間を通るようにカーボンナノチューブが熱化学気相法（熱ＣＶＤ）等で合成される。すなわち、ゲート電極の間にカーボンナノチューブを合成できるようにそれらの間隔などの幾何学的形状を予め設計しなければならない。この時、ゲートによる電界を十分に生成させながらカーボンナノチューブの成長を調節することができるようにゲートの間隔を狭くし、長い構造に設計することが望ましい。
【００８６】
図２４はゲート構造を底の部分に配置した例を示したものである。この時触媒層の垂直高さがゲートより上にしなければならないので高さ調節するとともにウェーハの絶縁層との接合を増進させるバッファ層を触媒層下に配置させる。
【００８７】
カーボンナノチューブは弾性に富むので電界により曲がることもある。この曲がる程度はカーボンナノチューブの種類及び長さによって異なる。最大数十ナノミリメータ程度まで曲がることがあるが、一般的に数ナノミリメータ程度曲がると予想される。したがって、図２３の構造でカーボンナノチューブが成長する触媒の幅よりゲート間の距離が数十ナノミリメータ以上大きく設計する。図２４のグラウンドゲートの場合、必要によって薄い絶縁体層をゲート電極上に蒸着させることもできる。また、図２５はゲートにもカーボンナノチューブを利用したものであって図２３のゲートの間にナノチューブを成長させた構造である。
【００８８】
一方、カーボンナノチューブを合成する際に、電極面に垂直に成長ることもあって、半導体性を保ちながら所望する位置で反対側の触媒層まで成長させるようにすることは非常に難しい。このためにカーボンナノチューブの成長を導くことができるガイドとしての役割をする道（カーボンナノチューブが成長される通路）を触媒層と触媒層間に作ってカーボンナノチューブを合成することもできる(図２６参照)。
【００８９】
このカーボンナノチューブの成長ガイドはＲＩＥ(Reactive Ion Etching)などの乾式エッチングを利用すればシリコン酸化膜上に非常に精密に作ることができる。この時、ガイドの両端に触媒を蒸着させてその上に電極を蒸着させる。そして、ゲートはガイドの横に長く配置する。また、ゲートは図面に示したように絶縁体表面に配置することができ、ゲート電極も触媒層のようにエッチングされた位置に置かれていて触媒層やカーボンナノチューブと水平位置で電界を加えることもできる。
【００９０】
図２３と図２４に示した構造は２回のリソグラフィー工程で製作することができる。しかし、図２５と図２６の構造は３回のリソグラフィー工程が必要である。この時、合成時に図２５の構造はＦＥＴだけでなく、トンネリングトランジスタの製作にも利用可能である。また、ゲートとしてカーボンナノチューブを２個以上設ける場合ゲートバイアスにしたがってＳＥＴやＫｏｎｄｏ共振を利用したＫｏｎｄｏ素子を製作することができる。図２６の構造は合成時にカーボンナノチューブが所望しない方向に成長することを防止させることによって欠陥を減らすことができる構造である。
【００９１】
【発明の効果】
本発明によるカーボンナノチューブの水平成長方法を利用すれば、触媒が形成された基板の所望する特定位置でカーボンナノチューブを選択的に水平に成長させることができ、その方法を用いてナノ大きさの電界効果トランジスタを容易に製造できる長所がある。
【００９２】
また、カーボンナノチューブが選択的に水平成長されたソースとドレーン電極の接触触媒を所望する方向に磁化させることによって、スピンバルブ単電子トランジスタを実現できるという長所もある。
【図面の簡単な説明】
【図１】従来のカーボンナノチューブの垂直成長図を概略的に示した図面。
【図２】Ｈｏｎｇ  Ｊｉｅ  Ｄｉｅにより報告されたカーボンナノチューブの水平成長方法を概略的に示した図面。
【図３】本発明によるカーボンナノチューブの水平成長方法の一例を概略的に示した図面。
【図４】図３に示したカーボンナノチューブの水平成長方法によって製造された構造物の透視図。
【図５Ａ】図３に示したカーボンナノチューブの水平成長方法によって製造された構造物を貫通した穴形開口部を示した断面図であり、
【図５Ｂ】製造された構造物を貫通していないカップ形開口部を示した断面図。
【図６】本発明によるカーボンナノチューブの水平成長方法によって水平成長されたカーボンナノチューブの多様な形態を示した図面。
【図７】本発明によるカーボンナノチューブの水平成長方法によって水平成長されたカーボンナノチューブの多様な形態を示した図面。
【図８】本発明によるカーボンナノチューブの水平成長方法によって水平成長されたカーボンナノチューブの多様な形態を示した図面。
【図９】本発明によるカーボンナノチューブの水平成長方法によって水平成長されたカーボンナノチューブの多様な形態を示した図面。
【図１０】本発明によるカーボンナノチューブの水平成長方法によって水平成長されたカーボンナノチューブの多様な形態を示した図面。
【図１１】本発明によるカーボンナノチューブの水平成長方法によって水平成長されたカーボンナノチューブの多様な形態を示した図面。
【図１２】本発明によるカーボンナノチューブの水平成長方法によって水平成長されたカーボンナノチューブに金属がパターニングされて接合が形成されたことを示した図面。
【図１３】本発明によるカーボンナノチューブの水平成長方法の他の例を概略的に示した図面。
【図１４】本発明によるカーボンナノチューブの水平成長方法のさらに他の実施形態を概略的に示した図面。
【図１５】本発明によるカーボンナノチューブの水平成長方法によって、所望する位置でカーボンナノチューブを水平成長させる過程を概略的に示した図面。
【図１６】本発明によるカーボンナノチューブ水平成長の他の方法によって、所望する位置でカーボンナノチューブを水平成長させる過程を概略的に示した図面。
【図１７】本発明によるカーボンナノチューブ水平成長の他の方法によって、所望する位置でカーボンナノチューブを水平成長させる過程を概略的に示した図面。
【図１８】本発明によるカーボンナノチューブの水平成長方法において、ナノ点またはナノ線を形成するためのインプリント工程を概略的に示した図面。
【図１９】本発明によるカーボンナノチューブの水平成長方法において、ナノ点またはナノ線を形成するためのセルフアセンブリ方法を概略的に示した図面。
【図２０】本発明によるカーボンナノチューブを利用したスピンバルブ単電子トランジスタの構造を概略的に示した図面。
【図２１】図２０に示した本発明によるスピンバルブ単電子トランジスタの斜視図。
【図２２】本発明によるカーボンナノチューブを利用したスピンバルブ単電子トランジスタの他の実施形態を概略的に示した図面。
【図２３】本発明によるカーボンナノチューブの水平成長方法によって形成されたトランジスタの例を概略的に示した図面。
【図２４】本発明によるカーボンナノチューブの水平成長方法によって形成されたトランジスタの例を概略的に示した図面。
【図２５】本発明によるカーボンナノチューブの水平成長方法によって形成されたトランジスタの例を概略的に示した図面。
【図２６】本発明によるカーボンナノチューブの水平成長方法によって形成されたトランジスタの例を概略的に示した図面。
【符号の説明】
１０：基板
１２：触媒パターン
１４：成長抑制層
１６：開口部
１８：触媒パターンの露出面
２０：カーボンナノチューブ
３０：金属
４０：マスク
４２：開口部
２１０：ソース
２２０：ドレーン
２３０：第１ゲート
２４０：第２ゲート
２５１、２５２：導線
２６０：カーボンナノチューブブリッジ
２７０、２８０：ゲート用カーボンナノチューブ
【図１】
0003859199.tif 000002
【図２】
0003859199.tif 000003
【図３】
0003859199.tif 000004
【図４】
0003859199.tif 000005
【図５Ａ】
0003859199.tif 000006
【図５Ｂ】
0003859199.tif 000007
【図６】
0003859199.tif 000008
【図７】
0003859199.tif 000009
【図８】
0003859199.tif 000010
【図９】
0003859199.tif 000011
【図１０】
0003859199.tif 000012
【図１１】
0003859199.tif 000013
【図１２】
0003859199.tif 000014
【図１３】
0003859199.tif 000015
【図１４】
0003859199.tif 000016
【図１５】
0003859199.tif 000017
【図１６】
0003859199.tif 000018
【図１７】
0003859199.tif 000019
【図１８】
0003859199.tif 000020
【図１９】
0003859199.tif 000021
【図２０】
0003859199.tif 000022
【図２１】
0003859199.tif 000023
【図２２】
0003859199.tif 000024
【図２３】
0003859199.tif 000025
【図２４】
0003859199.tif 000026
【図２５】
0003859199.tif 000027
【図２６】
0003859199.tif 000028